(57)【要約】【課題】安価でかさばらなく、ハリスを所定の長さに設定できる。【解決手段】中空部１１を有し、上面に中空部１１に連通する溝１２が形成され、溝１２に沿って目盛１３、１４が設けられた本体１０と、本体１０の端部に固定され、釣針１を引っ掛けるための釣針掛け穴２１が形成された端面板２０と、本体１０の中空部１１に摺動自在に設けられた駒３０と、駒３０を本体１０に固定させるように駒３０に螺合して本体１０の溝より上方に突出し、ハリス２を引っ掛けるためのハリス掛けピン４０とからなる。【選択図】      図１
2004275130.tif 000002
【特許請求の範囲】
【請求項１】
中空部を有し、上面に前記中空部に連通する溝が形成され、前記溝に沿って目盛が設けられた本体と、この本体の少なくとも一方の端部に固定され、釣針を引っ掛けるための釣針掛け穴が形成された端面板と、前記本体の中空部に摺動自在に設けられた駒と、この駒を前記本体に固定させるように該駒に螺合して前記本体の溝より上方に突出し、ハリスを引っ掛けるためのハリス掛けピンとからなることを特徴とするハリス計測具。
【請求項２】
前記釣針掛け穴が形成された前記端面板と前記駒との間には、ハリスを受けるハリス受け板が前記本体の溝に摺動自在に設けられていることを特徴とする請求項１記載のハリス計測具。
【請求項３】
前記駒及び前記ハリス掛けピンは、１個又は２個設けられていることを特徴とする請求項１記載のハリス計測具。
【発明の詳細な説明】
【０００１】
【発明の属する技術分野】
本発明は、ハリスを所定の長さに設定するためのハリス計測具に関する。
【０００２】
【従来の技術】
従来、ハリス計測具として、例えば実用新案文献１、２及び３に示すものが挙げられる。
【０００３】
実用新案文献１は、目盛付き計測定規の長手方向に空洞部を設け、釣針を引っ掛けるための針掛板と、ハリスを引っ掛けるためのハリス掛針とを前記空洞部に摺動自在に設け、針掛板及びハリス掛針をそれぞれ蝶ねじで目盛付き計測定規に固定するようになっている。また針掛板及びハリス掛針は、目盛付き計測定規の両側より外側に突出しており、針掛板は釣針の横滑りを防止するための波形辺が形成されている。
【０００４】
実用新案文献２は、ケース内に発泡プラスチック、合成ゴム等の釣針を引っ掛けるための弾性体突条を設けた目盛を内蔵し、ケースの先端側には起伏ピンを設けている。そこで、弾性体突条に釣針を引っ掛けた後、起伏ピンを起立させてハリスを結び付けてハリスの接続部を形成する。
【０００５】
実用新案文献３は、ケース内に巻き取り部材を収容し、先端から目盛りを付けた目盛尺を巻き取り部材に巻き付けてなり、目盛尺はケース内に収納及びケース外へ引き出したりすることができるようになっている。また釣針を引っ掛ける引っ掛け片を目盛尺の先端に設け、ハリスの他端を引っ掛けて折り返す折り返し片をケース側に設けている。またケース側と巻き取り部材側との間には、目盛尺を巻き取る方向に付勢するばねを取付けている。更に、目盛尺を所定長さだけ引き出した時に、目盛尺がケース内へ巻き込まれるのを防止するための停止手段を、ケース側と目盛尺側との間にも設けている。
【０００６】
【実用新案文献１】
実開昭５５−９０９０１号公報
【実用新案文献２】
実開平７−３９４４８号公報
【実用新案文献３】
実開平３−３７８７１号公報
【０００７】
【発明が解決しようとする課題】
実用新案文献１は、部品点数が少なくて安価に製作できる。しかし、針掛板及びハリス掛針は目盛付き計測定規の両側に突出しているので、かさばるという問題があった。
【０００８】
実用新案文献２は、ケースの両側に突出していないので、かさばることはない。しかし、釣針を引っ掛ける弾性体突条が目盛となっており、弾性体突条のピッチによってハリスの長さが設定されるので、ピッチ分の誤差が生じ、ハリスの長さを正確に設定できない。また弾性体突条は発泡プラスチック、合成ゴム等よりなるので、釣針を引っ掛けることによって弾性体突条が欠けたり、また穴が明く等の問題があった。
【０００９】
実用新案文献３は、巻尺と同じ構造よりなるので、コンパクトで携帯に便利である。しかし、非常に多くの部品よりなるので、高価になる。
【００１０】
本発明の課題は、安価でかさばらなく、ハリスを所定の長さに設定できるハリス計測具を提供することにある。
【００１１】
【課題を解決するための手段】
上記課題を解決するための本発明の請求項１は、中空部を有し、上面に前記中空部に連通する溝が形成され、前記溝に沿って目盛が設けられた本体と、この本体の少なくとも一方の端部に固定され、釣針を引っ掛けるための釣針掛け穴が形成された端面板と、前記本体の中空部に摺動自在に設けられた駒と、この駒を前記本体に固定させるように該駒に螺合して前記本体の溝より上方に突出し、ハリスを引っ掛けるためのハリス掛けピンとからなることを特徴とする。
【００１２】
上記課題を解決するための本発明の請求項２は、上記請求項１において、前記釣針掛け穴が形成された前記端面板と前記駒との間には、ハリスを受けるハリス受け板が前記本体の溝に摺動自在に設けられていることを特徴とする。
【００１３】
上記課題を解決するための本発明の請求項３は、上記請求項１において、前記駒及び前記ハリス掛けピンは、１個又は２個設けられていることを特徴とする。
【００１４】
【発明の実施の形態】
本発明の一実施の形態を図１乃至図４により説明する。樹脂材よりなる長尺の本体１０は中空部１１を有し、上面には本体１０の長手方向に溝１２が形成されている。本体１０の両端部には、それぞれ端面板２０、２０が固定されており、端面板２０には、釣針１を引っ掛けるための釣針掛け穴２１が形成されている。本体１０の上面には、溝１２に沿って両側にそれぞれ目盛１３、１４が設けられている。一方の目盛１３は、図１において左側の端面板２０の端面を原点として設けられ、他方の目盛１４は、右側の端面板２０の端面を原点として設けられている。
【００１５】
本体１０の中空部１１には、樹脂材よりなる駒３０が摺動自在に設けられており、駒３０の下面には、本体１０の溝１２に対応した部分に穴３１が形成されている。また駒３０には、溝１２に対応した部分より穴３１までねじ穴３２が形成されている。駒３０のねじ穴３２には、ハリス２を引っ掛けるために溝１２より上方に突出したハリス掛けピン４０のねじ部４１が螺合しており、ハリス掛けピン４０の下端部には、本体１０の穴３１より小さく、かつ該穴３１の深さより厚さが小さい固定片５０が固定されている。
【００１６】
本体１０の溝１２には、左右の端面板２０、２０とハリス掛けピン４０間にそれぞれ樹脂材よりなるハリス受け板６０、６０が摺動自在に設けられている。ハリス受け板６０の下面には、溝１２に弾性力で係合するように外側に開いた係合部６１が設けられている。
【００１７】
次に作用について説明する。ハリス掛けピン４０のねじ部４１は駒３０のねじ穴３２に螺合されているので、ハリス掛けピン４０を回して緩めると、該ハリス掛けピン４０と共に固定片５０が持ち上がり、駒３０は本体１０の中空部１１に摺動可能となる。そこで、ハリス掛けピン４０を指でつまんで駒３０を摺動させ、目的とするハリス２の長さに相当する目盛１３の位置にハリス掛けピン４０を移動させる。そして、ハリス掛けピン４０をねじ込むと、固定片５０は下降して本体１０の中空部１１の底板部に圧接する。これにより、駒３０は本体１０に固定される。
【００１８】
この状態で、釣針１を一方の端面板２０の釣針掛け穴２１に引っ掛け、ハリス２の他端をハリス掛けピン４０に引っ掛けて緊張させながら折り返す。そして、一方の手の親指と人指し指でハリス２を押し上げてハリス掛けピン４０から抜き取り、そのままの長さを保ちながら結び目を設けてチチワを作る。これにより、所定の長さのハリス２ができ上がる。
【００１９】
このように、非常に少ない部品よりなるので、安価に製作できる。また本体１０の両側に突出した部材がないので、かさばるこのもない。またハリス受け板６０を設けると、ハリス２の端部側をハリス掛けピン４０に引っ掛ける時、不用意に糸が手から離れても糸をハリス受け板６０で受けるので、溝１２に入り込むことがない。またハリス受け板６０によって糸を受けるので、糸を水平にハリス掛けピン４０に緊張させることができる。
【００２０】
図５は本発明の他の実施の形態を示す。本実施の形態は、２個のハリス掛けピン４０、４０を設けたものである。非常に長いハリス２を形成する必要がある場合には、左側のハリス掛けピン４０を左方に位置させ、また右側のハリス掛けピン４０を右方に位置させる。そして、釣針１を一方（左側）の端面板２０の引っ掛け穴２１（図２参照）に引っ掛け、ハリス２の他端を右側のハリス掛けピン４０に引っ掛けて折り返し、続いて左側のハリス掛けピン４０に引っ掛けて折り返す。これにより、左側の端面板２０の端面から右側のハリス掛けピン４０までの長さに２個のハリス掛けピン４０、４０間の長さを加えた長さのハリス２を形成することができる。
【００２１】
このように、２個のハリス掛けピン４０、４０を設けると、ハリス計測具の全長より長さの長いハリス２を形成することができる。
【００２２】
なお、上記の実施の形態においては、両側の端面板２０、２０にそれぞれ釣針掛け穴２１を設け、また本体１０の溝１２の両側にそれぞれ目盛１３、１４を設けたが、釣針掛け穴２１、２１及び目盛１３、１４はいずれか一方、例えば左側の端面板２０のみに釣針掛け穴２１を設け、また目盛１３のみを設けてもよい。この場合には、左側の端面板２０側の一方のハリス受け板６０のみを設ければよい。しかし、本実施の形態のように、両側の端面板２０、２０にそれぞれ釣針掛け穴２１、２１を設け、また目盛１３、１４を設けると、本体１０の右方又は左方からハリス２の設定ができ便利である。
【００２３】
【発明の効果】
本発明は、中空部を有し、上面に前記中空部に連通する溝が形成され、前記溝に沿って目盛が設けられた本体と、この本体の少なくとも一方の端部に固定され、釣針を引っ掛けるための釣針掛け穴が形成された端面板と、前記本体の中空部に摺動自在に設けられた駒と、この駒を前記本体に固定させるように該駒に螺合して前記本体の溝より上方に突出し、ハリスを引っ掛けるためのハリス掛けピンとからなるので、安価でかさばらなく、ハリスを所定の長さに設定できる。
【図面の簡単な説明】
【図１】本発明のハリス計測具の一実施の形態を示し、（ａ）は平面図、（ｂ）は正面図である。
【図２】図１の拡大側面図である。
【図３】図１（ａ）のＡ−Ａ線拡大断面図である。
【図４】図１（ａ）のＢ−Ｂ線拡大断面図である。
【図５】本発明のハリス計測具の他の実施の形態を示し、（ａ）は平面図、（ｂ）は正面図である。
【符号の説明】
１    釣針
２    ハリス
１０    本体
１１    中空部
１２    溝
１３、１４    目盛
２０    端面板
２１    釣針掛け穴
３０    駒
３１    穴
３２    ねじ穴
４０    ハリス掛けピン
４１    ねじ部
５０    固定片
６０    ハリス受け板
６１    係合部
【図１】
2004275130.tif 000003
【図２】
2004275130.tif 000004
【図３】
2004275130.tif 000005
【図４】
2004275130.tif 000006
【図５】
2004275130.tif 000007